(57)【要約】【課題】外部からのエネルギー供給を必要とせずに、複数の選択状態に対応した情報送信装置を提供する。【解決手段】情報送信装置１００は、操作部５１を有し、操作部５１を操作することによって複数の選択状態の内の１つを検出可能な選択部１と、操作部５１が押圧されることによって発電を行う発電部３と、選択部１と発電部３とに接続されていると共に、発電部３が発電した電力が供給され、選択部１の選択した選択状態を含む情報を、発電部３が発電した電力を使用して外部に送信する送信部９と、を備えている。この構成により、操作部５１を押圧することによって自ら発電し、その発電によって得られた電力を送信部９に供給するので、外部からのエネルギー供給を必要とすることのない、複数の選択状態に対応した情報送信装置１００を提供することができる。【選択図】図２
2015185473.tif 000002
【特許請求の範囲】
【請求項１】
操作部を有し、前記操作部を操作することによって複数の選択状態の内の１つを検出可能な選択部と、
前記操作部が押圧されることによって発電を行う発電部と、
前記選択部と前記発電部とに接続されていると共に、前記発電部が発電した電力が供給され、前記選択部の選択した選択状態を含む情報を、前記電力を使用して外部に送信する送信部と、を備えた、ことを特徴とする情報送信装置。
【請求項２】
前記選択部は、回転軸を有すると共に前記回転軸の回転角度に対応した１つの選択状態を検出可能なロータリースイッチを備え、
前記回転軸には、前記操作部として操作ノブが取り付けられていると共に、前記操作ノブには押圧軸が取り付けられていて、
前記操作ノブを押圧することによって前記発電部が発電を行う、ことを特徴とする請求項１に記載の情報送信装置。
【請求項３】
前記操作部は、複数の操作ボタンが設けられていて、複数の前記操作ボタンの内の１つを選択して操作することによって１つの選択状態を検出可能なスイッチ装置であり、
選択された前記操作ボタンを更に押圧することによって前記発電部が発電を行う、ことを特徴とする請求項１に記載の情報送信装置。
【請求項４】
前記送信部は、前記選択状態を含む情報を無線によって外部に送信する、ことを特徴とする請求項１乃至請求項３のいずれかに記載の情報送信装置。
【発明の詳細な説明】
【技術分野】
【０００１】
本発明は、各種システムの操作を行う情報送信装置に係り、特に複数の選択状態に対応した情報送信装置に係わる。
【背景技術】
【０００２】
近年、従来のエネルギーに代わる新しいエネルギーとして、身の回りの動作から発電されるエネルギーが注目を浴びている。 例えば、特許文献１に記載されている自己発電型個人認証システムにおいては、自己発電型個人認証装置の利用者がドアノブを操作することで発電を行い、その発電された電力を使って情報を外部へ送信するものである。特許文献１に記載されたドアノブ式発電機を図１４に示す。
【０００３】
図１４に示すドアノブ式発電機９００は、取手部９１１を操作した際に取手部９１１が矢印Ｂの方向に回転することによって、その内部に設けられている筒部９２１の傾きが合わせて変化する。すると、筒部９２１の一方の端部にとどまっている状態の磁石部９２２が他方の端部に向かって移動する際に、磁石部９２２とコイル部９２３との間で生じる電磁誘導によって発電することができる。さらに、信号送信部９４４は、その電磁誘導によって生じた電力により、図示しない外部の信号受信部等に対して、取手部９１１が操作された（ドア本体９１３が開閉された）ことを示す情報を送信することができる。このような構成により、簡易な機構でありながら、外部からのエネルギー供給を必要とせず情報を送信することのできる情報送信装置を提供することが可能となる。
【先行技術文献】
【特許文献】
【０００４】
【特許文献１】特開２０１３−１２４５１４号公報
【発明の概要】
【発明が解決しようとする課題】
【０００５】
しかしながら特許文献１に開示されたようなドアノブ式発電機９００においては、以下のような問題があった。
【０００６】
ドアノブ式発電機９００のような情報送信装置では、ドアノブを操作するという１つの動作だけに対応して発電を行う方式であるため、複数の動作を伴う操作に対して対応することができていなかった。従って、複数の動作を伴う操作の場合には、１つ１つの動作に対応した発電機をそれぞれ設けなければならなかった。例えば、複数のスイッチを備えた配電盤などのシステムの操作を行う情報送信装置の場合、複数のスイッチそれぞれに対応した発電機が必要となってくる。そのため、システムのコストを押し上げてしまうという問題があった。
【０００７】
本発明は、このような従来技術の実情に鑑みてなされたもので、その目的は、外部からのエネルギー供給を必要とせずに、複数の選択状態に対応した情報送信装置を提供することにある。
【課題を解決するための手段】
【０００８】
この課題を解決するために、本発明の情報送信装置は、
操作部を有し、前記操作部を操作することによって複数の選択状態の内の１つを検出可能な選択部と、前記操作部が押圧されることによって発電を行う発電部と、前記選択部と前記発電部とに接続されていると共に、前記発電部が発電した電力が供給され、前記選択部の選択した選択状態を含む情報を、前記電力を使用して外部に送信する送信部と、を備えた、という特徴を有する。
【０００９】
このように構成された情報送信装置は、複数の選択状態の内の１つを検出可能な選択部を備え、この選択部に設けられた操作部を押圧することによって自ら発電し、その発電によって得られた電力を送信部に供給するので、外部からのエネルギー供給を必要とすることのない、複数の選択状態に対応した情報送信装置を提供することができる。
【００１０】
また、上記の構成において、前記選択部は、回転軸を有すると共に前記回転軸の回転角度に対応した１つの選択状態を検出可能なロータリースイッチを備え、前記回転軸には、前記操作部として操作ノブが取り付けられていると共に、前記操作ノブには押圧軸が取り付けられていて、前記操作ノブを押圧することによって前記発電部が発電を行う、という特徴を有する。
【００１１】
このように構成された情報送信装置では、複数の選択状態の内の１つを検出可能な選択部として、回転軸の回転角度に対応した１つの選択状態を検出可能なロータリースイッチを採用したので、複数の選択状態の内の１つの選択状態を容易に検出することができる。また、押圧軸を備えた操作ノブが回転軸に取り付けられているので、操作ノブを押圧することによって容易に発電を行うことができる。
【００１２】
また、上記の構成において、前記操作部は、複数の操作ボタンが設けられていて、複数の前記操作ボタンの内の１つを選択して操作することによって１つの選択状態を検出可能なスイッチ装置であり、選択された前記操作ボタンを更に押圧することによって前記発電部が発電を行う、という特徴を有する。
【００１３】
このように構成された情報送信装置では、複数の操作ボタンの内の１つを選択し、次に選択した操作ボタンを更に押圧することによって発電を行うことができるため、選択と発電とを一連の動作として連続的に行うことができる。
【００１４】
また、上記の構成において、前記送信部は、前記選択状態を含む情報を無線によって外部に送信する、という特徴を有する。
【００１５】
このように構成された情報送信装置では、送信部と外部との間の送信経路としての線路を必要としないため、線路のためのコストを削減できると共に、情報送信装置本体の設置レイアウトを自由に行うことができる。
【発明の効果】
【００１６】
本発明の情報送信装置は、複数の選択状態の内の１つを検出可能な選択部を備え、この選択部に設けられた操作部を押圧することによって自ら発電し、その発電によって得られた電力を送信部に供給するので、外部からのエネルギー供給を必要とすることのない、複数の選択状態に対応した情報送信装置を提供することができる。
【図面の簡単な説明】
【００１７】
【図１】本発明の第１実施形態に係る情報送信装置の外観を示す斜視図である。
【図２】情報送信装置の構成を示す内部模式図である。
【図３】情報送信装置の動作を示す外観模式図である。
【図４】情報送信装置で使用されるロータリースイッチの動作説明図である。
【図５】情報送信装置で使用されるロータリースイッチの動作説明図である。
【図６】情報送信装置の動作を示す内部模式図である。
【図７】情報送信装置で使用される発電部の動作説明図である。
【図８】情報送信装置で使用される発電部の動作説明図である。
【図９】本発明の第２実施形態に係る情報送信装置の外観を示す斜視図である。
【図１０】情報送信装置の構成を示す内部模式図である。
【図１１】情報送信装置の主要部の側面図と平面図ある。
【図１２】情報送信装置の動作を示す外観模式図である。
【図１３】情報送信装置に使用されるスイッチ装置の断面図である。
【図１４】従来例に係る情報送信装置の適用例を示す斜視図である。
【発明を実施するための形態】
【００１８】
［第１実施形態］
以下、本発明の第１実施形態について、図面を参照しながら説明する。尚、本明細書では、特に断りの無い限り、各図面のＸ１側を右側、Ｘ２側を左側、Ｙ１側を奥側、Ｙ２側を手前側、Ｚ１側を上側、Ｚ２側を下側として説明する。
【００１９】
最初に、第１実施形態に係る情報送信装置１００の構成及び動作について図１乃至図６を用いて説明する。
【００２０】
図１は、情報送信装置１００の外観を示す斜視図である。図２は、情報送信装置１００の構成を示す内部模式図であり、図３は、情報送信装置１００の動作を示す外観模式図であり、図４及び図５は、情報送信装置１００で使用されるロータリースイッチ１０の動作説明図である。また、図６は、情報送信装置１００の動作を示す内部模式図である。
【００２１】
図１に示す情報送信装置１００は、電力管理用の配電盤制御に用いられ、情報送信装置１００で選択した情報を外部に送信することが可能となるように構成されている。情報送信装置１００は、操作部５１を操作することによって複数の選択状態の内の１つを検出可能な選択部１を備えている。選択部１は、ロータリースイッチ１０を主として構成されていて、ロータリースイッチ１０は箱体９１の上部に配設されている。
【００２２】
情報送信装置１００は、図２に示すように、前述した選択部１と、選択確定部２と、発電部３と、整流回路８と、送信部９と、を備えている。
【００２３】
選択部１は、回転軸６２を有すると共に、回転軸６２の回転角度に対応した１つの選択状態を検出可能なロータリースイッチ１０を備えている。ロータリースイッチ１０は、図２に示すように、回転軸６２以外に、押圧軸６１と、操作部５１である操作ノブ５１ａと、絶縁基板５４と、固定接点５２と、可動接点５３と、端子５５と、台座５６とを含んで構成されている。固定接点５２は、絶縁基板５４に設けられていると共に、固定接点５２には端子５５が接続されていて、端子５５は箱体９１内に伸びて、選択確定部２に接続されている。
【００２４】
回転軸６２には複数の可動接点５３が取り付けられていると共に、回転軸６２には、操作部５１として操作ノブ５１ａが取り付けられているため、操作ノブ５１ａを回転させることによって、可動接点５３が絶縁基板５４上の固定接点５２と接触又は非接触とされる。そのことにより複数の選択状態の内の１つを検出可能となるように構成されている。
【００２５】
また、押圧軸６１が回転軸６２の内部を貫通して、操作ノブ５１ａに取り付けられており、更に押圧軸６１は、連結部材１１７を介して発電部３内の操作部材１１５に接続されている。尚、押圧軸６１と回転軸６２とは接続されておらず、それぞれ個別に操作が可能となっている。回転軸６２と押圧軸６１とは、操作ノブ５１ａに取り付けられているが、操作ノブ５１ａを回転させた場合、回転軸６２は操作ノブ５１ａの回転に伴って回転するように構成されている。また、操作ノブ５１ａを下方向に押圧した場合には、押圧軸６１が押下するが、回転軸６２は、その位置を変えることがないように構成されている。例えば、回転軸６２の外形部に上下方向の複数の溝を設け、その溝に噛み合うように操作ノブ５１ａに複数の凸部を設けるようにすれば、上記の動作は可能になる。操作ノブ５１ａを回転させた場合、押圧軸６１は回転してもかまわないし、回転しなくてもかまわない。尚、選択部１としてのロータリースイッチ１０のスイッチング動作については、後述する。
【００２６】
選択確定部２は、前述の選択部１の選択した選択情報を確定する機能を有している。選択確定部２では、ロータリースイッチ１０から端子５５を介して伝送された選択情報が入力され、記憶される。
【００２７】
箱体９１内の発電部３は、操作部５１に取り付けられている押圧軸６１が押圧されることによって発電を行うように構成されている。言い換えれば、操作ノブ５１ａを押圧することによって発電部３が発電を行う。尚、発電部３の構成及び動作については、後述する。
【００２８】
発電部３には、整流回路８が接続されていて、発電部３で発電された電力は整流回路８で直流電圧に変換される。また、整流回路８には、選択確定部２及び送信部９が接続されており、発電部３が発電した電力が整流回路８を介して選択確定部２及び送信部９に供給される。
【００２９】
送信部９は、整流回路８を介して発電部３に接続されていると共に、選択確定部２に接続されている。送信部９は、選択確定部２から伝送された、選択部１が選択した選択状態を含む情報を、発電部３が発電した電力を使用して外部に送信するように構成されている。また、送信部９には、アンテナ９ａが接続されていると共に、無線ＬＡＮ（Local Area Network）等による無線通信機能が備えられている。従って、選択部１によって得られた選択状態を含む情報を無線によって外部に送信することが可能である。尚、無線ＬＡＮ（Local Area Network）技術等の無線通信技術は公知の技術であるため、送信部９の内部の構成についてはその説明を省略する。
【００３０】
情報送信装置１００は、前述したように、選択部１がロータリースイッチ１０を用いているため、複数の選択状態の内の１つを検出して出力することができる。それと共に、操作部５１に取り付けられている押圧軸６１を押圧することによって発電を行うように構成されている。その動作について、図１乃至図５を用いて説明する。
【００３１】
尚、ロータリースイッチ１０は、１つのＯＦＦの状態と、４つの異なるＯＮの状態を選択可能であるとする。また、回転軸６２には、図４（ｂ）又は図５（ｂ）に示すように、１つのＯＦＦの状態と４つの異なるＯＮの状態に対応する可動接点５３ａ、５３ｂ、５３ｃ、５３ｄ、及び５３ｅが所定の角度を隔てて配設されている。情報送信装置１００の場合、その角度は４５°である。尚、ＯＦＦの状態に対応する可動接点５３ａは、他の可動接点５３に比べてその長さが短く設定されている。
【００３２】
操作を行っていない時には、ロータリースイッチ１０はＯＦＦとなっており、図１及び図３（ａ）に示すように、操作部５１である操作ノブ５１ａが上方向に持ち上げられた状態になっている。また、図１及び図３（ａ）に示すように、操作ノブの指示位置はＯＦＦの位置にある。このとき、図４（ａ）及び図４（ｂ）に示すように、可動接点５３は固定接点５２に接していない。尚、この時、図２に示すように、押圧軸６１の下端の位置は箱体９１内の上部にあるため、発電部３内の操作部材１１５の位置も上部にある。従って、発電は行われていない。
【００３３】
次に、ロータリースイッチ１０によってＯＮ１の状態を選択しようとした場合、図３（ｂ）に示すように、操作ノブ５１ａが上方向に持ち上がっている状態で、操作ノブ５１ａを所定の角度だけ回転させる。この回転により、情報送信装置１００がＯＮ１の状態を選択したことになり、図３（ｂ）に示すように、ロータリースイッチ１０の回転位置はＯＮ１の位置になる。この時、図５（ａ）及び図５（ｂ）に示すように、可動接点５３も回転し、可動接点５３の内のＯＮ１の時に使用される可動接点５３ｂが固定接点５２に接触する。このことにより、情報送信装置１００によってＯＮ１の状態が選択されたことが選択確定部２に伝わる。尚、この時も、押圧軸６１の下端の位置は箱体９１内の上部にあるため、発電部３内の操作部材１１５の位置も上部にある。従って、発電は行われていない。そのため、ここまでは、選択確定部２及び送信部９は動作を停止している。
【００３４】
次に、ロータリースイッチ１０によってＯＮ１の状態を選択したまま、図３（ｃ）に示すように、操作ノブ５１ａを下方向に押圧する。このとき、図６に示すように、可動接点５３ｂが固定接点５２に接している状態で、押圧軸６１が下方向に押圧される。そのため、連結部材１１７を介して発電部３内の操作部材１１５が押し下げられ、操作部材１１５が図２に示した位置よりも下方向の位置に移動する。このような操作が行われた場合、発電部３は、発電するように構成されている。即ち、操作ノブ５１ａを押圧することによって発電部３が発電を行う。
【００３５】
このように、発電部３において発電が行われたら、選択確定部２及び送信部９に電力が供給されるため、選択確定部２及び送信部９が動作を始めることができる。その結果、送信部９から外部へ選択に関する情報が無線によって伝送される。尚、上記説明では、ロータリースイッチ１０のＯＦＦの状態からＯＮ１の状態へ変化させる場合を説明したが、その他の組み合わせにおいても、その動作は同様である。
【００３６】
次に、情報送信装置１００で使用される発電部３の動作について、図７及び図８を用いて説明する。
【００３７】
図７は、発電部３の第１の姿勢のときの側面図であり、図８は、発電部３の第２の姿勢のときの側面図である。
【００３８】
発電コイル（図示せず）が巻かれた磁路形成部材１１３に、図７及び図８に示すように、第１の対向端面１１４ａと第２の対向端面１１４ｂが形成されている。また、回転体１１０が、永久磁石１２１と第１の磁化部材１２２及び第２の磁化部材１２３を有している。
【００３９】
操作部材１１５が押圧されていない状態では、図７に示すように、第１の磁化部材１２２の第１の端面１２２ａが第１の対向端面１１４ａに隙間を介して対向し、第２の磁化部材１２３の第１の端面１２３ａが第２の対向端面１１４ｂに隙間を介して対向する。図７に示す状態では、永久磁石１２１の磁力により、第１の端面１２２ａと第１の対向端面１１４ａとが磁気吸引され、第１の端面１２３ａと第２の対向端面１１４ｂとが磁気吸引されて、回転体１１０が第１の姿勢で安定しようとする。
【００４０】
次に、操作部材１１５が押圧されると回転体１１０が回転し、図８に示す第２の姿勢で安定しようとする。第２の姿勢では、第１の磁化部材１２２の第２の端面１２２ｂが、磁路形成部材１１３の第２の対向端面１１４ｂに微小な隙間を介して対向し、第２の磁化部材１２３の第２の端面１２３ｂが第１の対向端面１１４ａに微小な隙間を介して対向する。その後、操作部材１１５への押圧力が解除されると操作部材１１５と回転体１１０は、図７に示した第１の姿勢に復帰する。
【００４１】
図７に示す第１の姿勢の時、永久磁石１２１から発せられる磁束φ１が、第２の磁化部材１２３の第１の端面１２３ａから第２の対向端面１１４ｂを介して磁路形成部材１１３の第２の腕部１１３ｂに与えられる。磁束φ１は、磁路形成部材１１３の連結部１１３ｃを介して第１の腕部１１３ａに至る経路を辿り、第１の対向端面１１４ａから第１の端面１２２ａを介して第１の磁化部材１２２に戻る。
【００４２】
図８に示す第２の姿勢になると、永久磁石１２１から発せられる磁束φ２が、第１の腕部１１３ａから連結部１１３ｃを介して第２の腕部１１３ｂに至る経路を辿る。磁路形成部材１１３内で磁束φ１からφ２に変化するとき、発電コイルから誘導起電力を得ることができる。同様に、磁路形成部材１１３内で磁束φ２からφ１に変化するとき、発電コイルから誘導起電力を得ることができる。発電部３では、回転体１１０と磁路形成部材１１３が接触しないので操作部材１１５の操作に要する力が比較的弱くて済み、回転体１１０が磁気吸着で瞬時に回転するため、大きな起電力を得ることができる。
【００４３】
このように、発電部３は、操作部材１１５の動作、言い換えれば押圧軸６１の上下方向への押圧動作によって、容易に発電することができる。
【００４４】
上述したように、情報送信装置１００では、複数の選択状態の内の１つを検出可能な選択部１を備え、この選択部１に設けられた操作部５１を押圧することによって自ら発電し、その発電によって得られた電力を送信部９に供給するので、外部からのエネルギー供給を必要とすることのない、複数の選択状態に対応した情報送信装置１００を提供することができる。
【００４５】
また、情報送信装置１００では、複数の選択状態の内の１つを検出可能な選択部１として、回転軸６２の回転角度に対応した複数の選択状態を検出可能なロータリースイッチ１０を採用したので、複数の選択状態の内の１つの選択状態を容易に検出することができる。また、押圧軸６１を備えた操作ノブ５１ａが回転軸６２に取り付けられているので、操作ノブ５１ａを押圧することによって容易に発電を行うことができる。
【００４６】
また、情報送信装置１００では、送信部９が、選択状態を含む情報を無線によって外部に送信するように構成したので、送信部９と外部との間の送信経路としての線路を必要としない。そのため、線路のためのコストを削減できると共に、情報送信装置１００本体の設置レイアウトを自由に行うことができる。
【００４７】
［第２実施形態］
次に、本発明の第２実施形態に係る情報送信装置２００の構成及び動作について図９乃至図１３を用いて説明する。
【００４８】
図９は、情報送信装置２００の外観を示す斜視図であり、図１０は、情報送信装置２００の構成を示す内部模式図である。図１１（ａ）は、情報送信装置２００の主要部を、右側（Ｘ１側）から見た時の側面図であり、図１１（ｂ）は、情報送信装置２００の主要部を、下側（Ｚ２側）から見た時の平面図ある。図１２は、情報送信装置２００の動作を示す外観模式図であり、また、図１３は、情報送信装置２００に使用されるスイッチ装置１５９の断面図である。
【００４９】
図９に示す情報送信装置２００は、配電盤制御に用いられ、情報送信装置２００で選択された情報を外部に送信することが可能となるように構成されている。情報送信装置２００は、操作部１５１を構成するスイッチ装置１５９を操作することによって複数の選択状態の内の１つを検出可能な選択部１０１を備えている。選択部１０１は、図９に示す箱体１９１の上部に配設されている。
【００５０】
情報送信装置２００は、図１０に示すように、前述した選択部１０１と、選択確定部１０２と、発電部１０３と、整流回路１０８と、送信部１０９と、を備えている。また、選択部１０１は、操作盤１５２を備えており、選択確定部１０２と、整流回路１０８と、送信部１０９とは、情報送信装置１００の場合とは異なり、操作盤１５２の上面に取り付けられた配線基板２１１の一方の面（Ｚ２側の面）に配設されている。また、操作盤１５２には、押圧軸１６１が取り付けられており、押圧軸１６１は、連結部材１１７を介して発電部１０３内の操作部材１１５に接続されている。そして、押圧軸１６１を下方に押圧することによって発電部１０３で発電が行われる。この動作については、情報送信装置１００の場合と同様である。
【００５１】
配線基板２１１の一方の面（Ｚ２側の面）に形成された選択確定部１０２と、整流回路１０８と、送信部１０９と、送信部１０９用に使用されるアンテナ１０９ａとを、拡大して図１１（ａ）及び図１１（ｂ）に示す。配線基板２１１に配設されている、選択確定部１０２と、整流回路１０８と、送信部１０９と、アンテナ１０９ａとは、それぞれ集積回路等の電子部品で形成されるが、これらを１つ又は２つの集積回路で形成しても良い。アンテナ１０９ａは、一般的にチップ部品で形成されるが、配線基板２１１上に銅箔パターンで形成されても良い。尚、これら各部間の接続関係、及びそれぞれの機能については、情報送信装置１００と同様であるので、それらについての説明を省略する。
【００５２】
図１１（ａ）に示すように、配線基板２１１の他方の面（Ｚ１側の面）には、複数の操作ボタン１５９aによってスイッチ装置１５９が形成されている。尚、スイッチ装置１５９の構成及び動作については、後述する。
【００５３】
情報送信装置２００は、前述したように、操作部１５１として複数の操作ボタン１５９aを有したスイッチ装置１５９を使用しているため、複数の選択状態の内の１つを検出して出力することができる。それと共に、前述したように、操作盤１５２に取り付けられている押圧軸１６１を押圧することによって発電を行うように構成されている。その動作について、図９、図１０及び図１２を用いて説明する。
【００５４】
尚、スイッチ装置１５９は、ＯＮ１からＯＮ６までの６つの異なるＯＮの状態を６個の操作ボタン１５９aの内の１つを下方に押すことによって選択可能である。また、全ての操作ボタン１５９aが押されていない状態では、ＯＦＦの状態と見なされる。尚、スイッチ装置１５９としては、分かりやすく説明するため一般的なプッシュスイッチを想定しているがが、スイッチ装置１５９としてプッシュスイッチではなく、接触するだけでスイッチング動作が行われる静電センサを用いたスイッチ装置であっても良い。
【００５５】
通常時、図９及び図１２（ａ）に示すように、全ての操作ボタン１５９aが押されていない状態であり、スイッチ装置１５９はＯＦＦとなっている。また、図１２（ａ）に示すように、操作部１５１の上下方向の位置は上部の位置にある。この時、図１０に示すように、押圧軸１６１の下端の位置は箱体１９１内の上部にあるため、発電部１０３内の操作部材１１５の位置も上部にある。従って、発電は行われていない。
【００５６】
次に、情報送信装置２００によってＯＮ１の状態を選択しようとした場合、図１２（ｂ）に示すように、操作ボタン１５９aの内の、ＯＮ１に相当する操作ボタン１５９aを押圧する。これを第１押圧と称することとする。ＯＮ１に相当する操作ボタン１５９aを第１押圧されたスイッチ装置１５９は、ＯＮ１の状態を選択している。尚、この時も、押圧軸１６１の下端の位置は箱体１９１内の上部にあるため、発電部１０３内の操作部材１１５の位置も上部にある。従って、まだ発電は行われていない。そのため、ここまでは、選択確定部２及び送信部９は動作を停止している。
【００５７】
次に、操作ボタン１５９aを第１押圧している状態から、図１２（ｃ）に示すように、更に下方に押圧する。これを第２押圧と称することとする。このとき、図１０で示した押圧軸１６１は下方向に押圧される。そのため、連結部材１１７を介して発電部１０３内の操作部材１１５が押し下げられ、操作部材１１５が図１０に示した位置よりも更に下方向の位置に移動する。その結果、発電部１０３において発電が行われる。
【００５８】
このように、発電部１０３において発電が行われたら、選択確定部１０２及び送信部１０９に電力が供給され、選択確定部１０２及び送信部１０９が動作を始める。その結果、送信部１０９から外部へ選択に関する情報が無線によって伝送される。尚、発電部１０３の動作ついては、情報送信装置１００における発電部３と同一であるので、その説明を省略する。
【００５９】
次に、スイッチ装置１５９の一例を、図１３を用いて簡単に説明する。スイッチ装置１５９は、プッシュスイッチであって、固定接点（図示せず）を有する配線基板２１１上に連動カム板２１７と枠板２１８とを載置し、操作ボタン１５９aの一方の側部に設けた回転支点部２２２を配線基板２１１と枠板２１８とで回転可能に挟持する。それと共に、操作ボタン１５９aの他方の側部に連動カム板２１７を駆動するカム部２２４を設け、かつ、操作ボタン１５９aの裏面側に可動スイッチ接点２１４と復帰ばね２１６とを収容した構成としている。スイッチ装置１５９は、このように構成することによって、操作ボタン１５９aの操作時に振れやがたつき等の不具合が生じることはなく、安定した状態でＯＮ、ＯＦＦの切り替え操作を行なうことができる。
【００６０】
上述したように、情報送信装置２００では、複数の操作ボタン１５９aの内の１つを選択し、次に選択した操作ボタン１５９aを更に押圧することによって発電を行うことができるため、選択と発電とを一連の動作として連続的に行うことができる。
【００６１】
以上説明したように、本発明の情報送信装置は、複数の選択状態の内の１つを検出可能な選択部を備え、この選択部に設けられた操作部を押圧することによって自ら発電し、その発電によって得られた電力を送信部に供給するので、外部からのエネルギー供給を必要とすることのない、複数の選択状態に対応した情報送信装置を提供することができる。
【００６２】
以上のように、本発明の実施形態に係る情報送信装置１００及び情報送信装置２００について説明したが、本発明は上記の実施形態に限定されるものではなく、要旨を逸脱しない範囲で種々変更して実施することが可能である。
【符号の説明】
【００６３】
１        選択部
２        選択確定部
３        発電部
８        整流回路
９        送信部
９ａ      アンテナ
１０      ロータリースイッチ
５１      操作部
５１ａ    操作ノブ
６１      押圧軸
６２      回転軸
９１      箱体
１００    情報送信装置
１０１    選択部
１０２    選択確定部
１０３    発電部
１０８    整流回路
１０９    送信部
１０９ａ  アンテナ
１５１    操作部
１５９    スイッチ装置
１５９ａ  操作ボタン
１９１    箱体
２００    情報送信装置
【図１】
2015185473.tif 000003
【図２】
2015185473.tif 000004
【図３】
2015185473.tif 000005
【図４】
2015185473.tif 000006
【図５】
2015185473.tif 000007
【図６】
2015185473.tif 000008
【図７】
2015185473.tif 000009
【図８】
2015185473.tif 000010
【図９】
2015185473.tif 000011
【図１０】
2015185473.tif 000012
【図１１】
2015185473.tif 000013
【図１２】
2015185473.tif 000014
【図１３】
2015185473.tif 000015
【図１４】
2015185473.tif 000016